(57)【要約】【課題】高精度な加熱蒸散温度制御が出来る低廉で簡単な構成の加熱蒸散装置を提供することである。【解決手段】  二つ以上の異なる温度に設定が可能で各々の設定温度で薬剤を加熱蒸散させることが出来る加熱蒸散装置であって、電源部と、サーミスタと、前記電源部からの給電によって前記サーミスタに流れる電流値を検出する電流検出部と、タイマと、前記電流検出部で検出された電流値が所定電流値Ａの場合に前記電源部から前記サーミスタへの給電を停止させ、前記タイマの設定時間経過後に前記電源部から前記サーミスタへの給電を行わせる制御部とを具備してなる。【選択図】図１
2011036166.tif 000002
【特許請求の範囲】
【請求項１】
二つ以上の異なる温度に設定が可能で各々の設定温度で薬剤を加熱蒸散させることが出来る加熱蒸散装置であって、
電源部と、
サーミスタと、
前記電源部からの給電によって前記サーミスタに流れる電流値を検出する電流検出部と、
タイマと、
前記電流検出部で検出された電流値が所定電流値Ａの場合に前記電源部から前記サーミスタへの給電を停止させ、前記タイマの設定時間経過後に前記電源部から前記サーミスタへの給電を行わせる制御部
とを具備してなることを特徴とする加熱蒸散装置。
【請求項２】
二つ以上の異なる温度に設定が可能で各々の設定温度で薬剤を加熱蒸散させることが出来る加熱蒸散装置であって、
電源部と、
第２電源部と、
サーミスタと、
前記電源部または前記第２電源部からの給電によって前記サーミスタに流れる電流値を検出する電流検出部と、
前記電源部からの給電時に前記電流検出部で検出された電流値が所定電流値Ａの場合に前記電源部から前記サーミスタへの給電を停止させ、該給電停止時における前記第２電源部からの給電時に前記電流検出部で検出された電流値が所定電流値Ｂの場合に前記電源部から前記サーミスタへの給電を行わせる制御部
とを具備してなることを特徴とする加熱蒸散装置。
【請求項３】
二つ以上の異なる温度に設定が可能で各々の設定温度で薬剤を加熱蒸散させることが出来る加熱蒸散装置であって、
電源部と、
サーミスタと、
前記サーミスタにパルス電圧を印加するパルス電圧印加部と、
前記パルス電圧印加部によって前記サーミスタに流れるパルス電流値を検出する電流検出部と、
前記電流検出部で検出されたパルス電流値が所定電流値Ａの場合に前記電源部から前記サーミスタへの給電を停止させ、前記電流検出部で検出されたパルス電流値が所定電流値Ｂの場合に前記電源部から前記サーミスタへの給電を行なわせる制御部
とを具備してなることを特徴とする加熱蒸散装置。
【請求項４】
サーミスタがＰＴＣであることを特徴とする請求項１〜請求項３いずれかの加熱蒸散装置。
【発明の詳細な説明】
【技術分野】
【０００１】
本発明は、二つ以上の異なる温度に設定が可能で各々の設定温度で薬剤を加熱蒸散させることが出来る加熱蒸散装置に関する。
【背景技術】
【０００２】
例えば、器体内に収納した液体容器内の液体を、該容器に備えた吸液芯により吸揚げしつつ、上記器体に備えた電気加熱式の発熱体により前記吸液芯を加熱して前記液体を蒸散させる加熱蒸散装置において、前記発熱体への通電時間を任意時間に制御するタイマー手段と、該タイマー手段による通電時間を選択表示する時間表示手段と、前記時間表示手段とは別個の、蒸散の状態を発光により明示する蒸散表示手段とを備え、前記発熱体が正特性サーミスタを有し、前記タイマー手段による通電時間内に前記発熱体の温度を３０〜１５０℃の範囲内で変化させて蒸散量を制御する電気回路を備え、前記蒸散表示手段は、発光源が上下方向に複数個並べられ、下方側の発光源から上方側に向かって順次点滅させる構成とされ、スイッチ操作により前記時間表示手段と蒸散表示手段とが同時に作動するように構成されたことを特徴とする加熱蒸散装置が提案（実用新案登録第２６０７７８９号公報）されている。
【０００３】
又、液体容器に充填された薬液を吸い上げるための吸液芯の周りに設けられる発熱体と、前記発熱体に電力を供給する電力源と、前記電力源から前記発熱体に供給される電力量を予め設定されたシーケンスに従って順次制御する制御手段とを具備した加熱蒸散装置であって、前記シーケンスが、所定時間前記発熱体の温度を高温に設定する促進モードと、前記温度を前記高温より低い通常温度に設定する通常モードと、前記発熱体の温度を前記通常温度より低い低温に設定する抑制モードとからなり、前記各モードを適宜選択ないし組み合わせて、前記発熱体を夫々異なる温度に発熱させる手段を更に具備したことを特徴とする加熱蒸散装置が提案（特許第３５８７３２２号公報）されている。
【０００４】
又、器体内に薬液容器が収納され、前記薬液容器から上方に突出した吸液芯を前記器体内に備えられた発熱体により加熱して前記吸液芯に吸い上げられた薬液を蒸散させる加熱蒸散装置において、前記発熱体の温度を複数の範囲に変更する加熱温度制御手段と、前記発熱体及び前記薬液容器の少なくとも一方の前記器体内における上下方向位置を調節して前記吸液芯の被加熱面積を変更可能な被加熱面積変更手段とを備えたことを特徴とする加熱蒸散装置が提案（特開２００２−５８４１４号公報）されている。
【先行技術文献】
【特許文献】
【０００５】
【特許文献１】実用新案登録第２６０７７８９号公報
【特許文献２】特許第３５８７３２２号公報
【特許文献３】特開２００２−５８４１４号公報
【発明の概要】
【発明が解決しようとする課題】
【０００６】
上記先行技術文献の加熱蒸散装置は加熱蒸散温度を制御できる加熱温度制御手段を備えている。この為、部屋が広い場合とか薬液濃度が低い場合には、加熱温度制御手段による制御によって加熱蒸散温度を高温に設定すれば、短時間での適度な薬液の蒸散が可能となり、スピーディな対応が得られ、逆に、部屋が狭い場合、幼児が居る場合、薬液濃度が高い場合、蚊が少ない場合、又は忌避効果のみを得たい場合等には、加熱温度制御手段による制御によって加熱蒸散温度を比較的低温に設定すれば、その目的に合致した対応が得られる。すなわち、目的とする用途に応じて加熱蒸散温度を設定できることから、有効な対処が可能になる。
【０００７】
よって、加熱蒸散温度の制御により薬液の加熱蒸散具合を制御できることは非常に好ましい。
【０００８】
ところが、上記先行技術文献の加熱蒸散装置にあっては、加熱蒸散温度の制御技術に改善が求められるものであった。例えば、加熱蒸散温度の高精度な制御や加熱蒸散装置の低コスト化が求められた。
【０００９】
従って、本発明が解決しようとする課題は、高精度な加熱蒸散温度制御が出来る低廉で簡単な構成の加熱蒸散装置を提供することである。
【課題を解決するための手段】
【００１０】
前記の課題は、
二つ以上の異なる温度に設定が可能で各々の設定温度で薬剤を加熱蒸散させることが出来る加熱蒸散装置であって、
電源部と、
サーミスタと、
前記電源部からの給電によって前記サーミスタに流れる電流値を検出する電流検出部と、
タイマと、
前記電流検出部で検出された電流値が所定電流値Ａの場合に前記電源部から前記サーミスタへの給電を停止させ、前記タイマの設定時間経過後に前記電源部から前記サーミスタへの給電を行わせる制御部
とを具備してなることを特徴とする加熱蒸散装置によって解決される。
【００１１】
又、二つ以上の異なる温度に設定が可能で各々の設定温度で薬剤を加熱蒸散させることが出来る加熱蒸散装置であって、
電源部と、
第２電源部と、
サーミスタと、
前記電源部または前記第２電源部からの給電によって前記サーミスタに流れる電流値を検出する電流検出部と、
前記電源部からの給電時に前記電流検出部で検出された電流値が所定電流値Ａの場合に前記電源部から前記サーミスタへの給電を停止させ、該給電停止時における前記第２電源部からの給電時に前記電流検出部で検出された電流値が所定電流値Ｂの場合に前記電源部から前記サーミスタへの給電を行わせる制御部
とを具備してなることを特徴とする加熱蒸散装置によって解決される。
【００１２】
又、二つ以上の異なる温度に設定が可能で各々の設定温度で薬剤を加熱蒸散させることが出来る加熱蒸散装置であって、
電源部と、
サーミスタと、
前記サーミスタにパルス電圧を印加するパルス電圧印加部と、
前記パルス電圧印加部によって前記サーミスタに流れるパルス電流値を検出する電流検出部と、
前記電流検出部で検出されたパルス電流値が所定電流値Ａの場合に前記電源部から前記サーミスタへの給電を停止させ、前記電流検出部で検出されたパルス電流値が所定電流値Ｂの場合に前記電源部から前記サーミスタへの給電を行なわせる制御部
とを具備してなることを特徴とする加熱蒸散装置によって解決される。
【発明の効果】
【００１３】
加熱蒸散温度の制御が高精度であり、しかも加熱蒸散装置は低廉なコストで得られる。
【図面の簡単な説明】
【００１４】
【図１】第１実施形態の加熱蒸散装置のブロック図
【図２】第２実施形態の加熱蒸散装置のブロック図
【図３】第３実施形態の加熱蒸散装置のブロック図
【発明を実施するための形態】
【００１５】
本発明は加熱蒸散装置である。この加熱蒸散装置は、特に、二つ以上の異なる温度に設定が可能で各々の設定温度で薬剤（例えば、殺虫剤、忌避剤、消臭剤、又は芳香剤など）を加熱蒸散させることが出来るように構成されている。尚、本発明の加熱蒸散装置は、容器内に薬液が充填されたタイプ、又は薬液が含漬されたマットタイプ何れのものであっても良い。
【００１６】
そして、この加熱蒸散装置は、例えばＰＴＣ素子と言ったサーミスタを具備する。又、電源部を具備する。この電源部からの給電によって前記サーミスタに流れる電流値を検出する電流検出部を具備する。又、タイマを具備する。又、前記電流検出部で検出された電流値が所定電流値の場合に前記電源部から前記サーミスタへの給電を停止させ、前記タイマの設定時間経過後に前記電源部から前記サーミスタへの給電を行わせる制御部を具備する。この制御部の作動により、加熱蒸散温度の高精度な制御が可能になる。すなわち、ＰＴＣ素子の抵抗値（ＰＴＣ素子に流れる電流値）はＰＴＣ素子の発熱温度の関数である。そして、ＰＴＣ素子に流れる電流値（抵抗値）とＰＴＣ素子の発熱温度とは所定の関係が存在していることから、電流値を測定すれば、ＰＴＣ素子の発熱温度が何℃であるかの知見が得られる。すなわち、ＰＴＣ素子を流れる電流値がＸアンペアの場合、ＰＴＣ素子の発熱温度はＹ℃であることが判っているから、加熱蒸散温度をＹ℃に制御したい場合、ＰＴＣ素子を流れる電流値がＸアンペアになったか否かを検出し、Ｘアンペアに到達した場合にはＰＴＣ素子への電力供給を停止してやれば、発熱温度をＹ℃に保持できる。そして、電力供給が停止されると、時間の経過に伴ってＰＴＣ素子の温度は周囲の影響で低下するから、Ｔ時間後にＰＴＣ素子への電力供給が再開されるようにしておけば、ＰＴＣ素子の発熱温度は略Ｙ℃に保持されるようになる。
【００１７】
或は、例えばＰＴＣ素子と言ったサーミスタを具備する点や電源部（主電源部）を具備する点は、上記の加熱蒸散装置と同様である。又、サーミスタ（ＰＴＣ素子）に流れる電流値を検出する電流検出部を具備する点も、上記の加熱蒸散装置と同様である。しかしながら、この例では、第２電源部（補助電源部）を具備させ、又、前記電流検出部は、前記電源部（主電源部）または前記第２電源部（補助電源部）からの給電によって前記サーミスタに流れる電流値を検出することが出来るように構成されている。そして、制御部は、前記電源部からの給電時に前記電流検出部で検出された電流値が所定電流値Ａの場合に前記電源部から前記サーミスタへの給電を停止させ、該給電停止時における前記第２電源部からの給電時に前記電流検出部で検出された電流値が所定電流値Ｂの場合に前記電源部から前記サーミスタへの給電を行わせるように構成させていても良い。このように構成させても、ＰＴＣ素子の発熱温度を高い精度で制御できる。
【００１８】
又は、例えばＰＴＣ素子と言ったサーミスタを具備する点や電源部を具備する点は、上記の加熱蒸散装置と同様である。又、サーミスタ（ＰＴＣ素子）に流れる電流値を検出する電流検出部を具備する点も、上記の加熱蒸散装置と同様である。しかしながら、この例では、サーミスタ（ＰＴＣ素子）にパルス電圧を印加するパルス電圧印加部を具備させ、又、前記電流検出部は、前記パルス電圧印加部によって前記サーミスタ（ＰＴＣ素子）に流れるパルス電流値を検出することが出来るように構成されている。そして、制御部は、前記電流検出部で検出されたパルス電流値が所定電流値Ａの場合に前記電源部から前記サーミスタ（ＰＴＣ素子）への給電を停止させ、前記電流検出部で検出されたパルス電流値が所定電流値Ｂの場合に前記電源部から前記サーミスタ（ＰＴＣ素子）への給電を行なわせるように構成させていても良い。このように構成させても、ＰＴＣ素子の発熱温度を高い精度で制御できる。
【００１９】
以下、本発明を図面と共に説明する。
【００２０】
図１は、本発明になる第１実施形態の加熱蒸散装置のブロック図である。
【００２１】
図１中、１はＰＴＣ素子である。２は電源部である。この電源部２は交流型または直流型いずれのものでも良い。すなわち、ＰＴＣ素子１を発熱させる為に電力を供給できるものであれば良い。そして、ＰＴＣ素子１への給電によってＰＴＣ素子１が発熱し、この発熱により薬液が加熱蒸散するように構成されている。
【００２２】
３は電流計（電流検出部）である。そして、この電流計３により、ＰＴＣ素子１に流れる電流値が検出される。
【００２３】
４はタイマである。
【００２４】
５は制御部である。この制御部５は、電流計３で検出された電流値が電流値Ａ（下記の例では０．０２５Ａ）になった場合、電源部２からＰＴＣ素子１への給電を停止（電源オフ）させ、タイマ４の設定時間経過後に電源部２からＰＴＣ素子１への給電を再開（電源オン）させる機能を備えている。例えば、ＰＴＣ素子１に１００ｖの電圧を印加した場合において、ＰＴＣ素子１は、１００℃で抵抗値が４０ｋΩ（電流値が０．００２５Ａ）、５０℃では抵抗値が４ｋΩ（電流値が０．０２５Ａ）の特性を有するものであったとする。そして、電源オンによってＰＴＣ素子１には電流が流れ始める。この通電によりＰＴＣ素子１は発熱し、温度が上昇する。そして、温度上昇に伴って抵抗値は徐々に増大する。従って、電流値は小さくなって行く。電流計３による計測値（電流値）が０．０２５Ａに到達すると、ＰＴＣ素子１の発熱温度は５０℃に到達していることになる。ここで、ＰＴＣ素子１の発熱温度を約５０℃に維持したい場合、ＰＴＣ素子１を流れる電流の値が０．０２５Ａに到達したことを電流計３が検出すると、電流計３からの信号を受けて制御部５は電源部２をオフに切り替えるように構成させておく。これにより、ＰＴＣ素子１には電流が流れなくなり、周囲への放熱により、ＰＴＣ素子１の温度が多少低下する。この温度が多少低下した時点、例えば予めタイマ４によって設定された時間（例えば、１０秒）が経過した時点、即ち、タイマ４による設定時間後にタイマ４からの信号を受けると、制御部５は電源部２をオンに切り替えるように構成させておく。これによって、ＰＴＣ素子１には電流が流れ始めるから、ＰＴＣ素子１は再度の発熱が開始する。すなわち、ＰＴＣ素子１を流れる電流の値（電流計３による計測値）が０．０２５Ａになると、ＰＴＣ素子１は５０℃に発熱したことになるから、その時点でＰＴＣ素子１には通電を停止する。通電停止により、ＰＴＣ素子１の発熱が停止するから、これ以降はＰＴＣ素子１の温度は低下し始める。温度低下は時間の関数であるから、例えば１０秒経過後には温度が１℃だけ低下するものとすると、１０秒経過後にＰＴＣ素子１への通電が再開されるようにしていると、ＰＴＣ素子１を４９℃〜５０℃に保持できる。つまり、ＰＴＣ素子１の発熱温度をほぼ５０℃にコントロール出来る。尚、上記説明では、設定温度が５０℃の場合のみを説明した。しかしながら、発熱温度と電流値（抵抗値）との関係を捉えておれば、ＰＴＣ素子１を６０℃に維持することも出来、又、７０℃に維持することも出来、又、８０℃に維持することも可能である。すなわち、電流計３による計測値が如何なる値の場合に、電源オフとさせるかのみである。従って、ＰＴＣ素子１を５０℃の温度に維持するのみばかりか、７０℃の温度にも維持できるようにすることは可能である。さて、上記のＰＴＣ素子１は１００℃に到達すると、抵抗値は４０ｋΩに急上昇する。そして、電流が殆ど流れなくなることから、ＰＴＣ素子１は１００℃に維持される。勿論、電流が殆ど流れなくなると、ＰＴＣ素子１の発熱が減少するから、温度は低下する。ところが、温度が低下すると、抵抗値が低下するから、ＰＴＣ素子１には電流が流れ始める。この１００℃の維持はＰＴＣ素子１自体の機能により制御が行なわれる。すなわち、ＰＴＣ素子を用いれば、制御部５の力を借りずとも、ＰＴＣ素子１を或る特定の温度（上記の例では１００℃）に維持することが可能になる。
【００２５】
図２は、本発明になる第２実施形態の加熱蒸散装置のブロック図である。
【００２６】
図２中、１１はＰＴＣ素子である。１２は電源部である。そして、電源部１２からＰＴＣ素子１１への給電によってＰＴＣ素子１１が発熱し、この発熱により薬液が加熱蒸散するように構成されている。尚、１２ａは第２電源部（補助電源部：低電圧（例えば、１０ｖ）の電源部）である。
【００２７】
１３は電流計（電流検出部）である。そして、この電流計１３により、ＰＴＣ素子１１に流れる電流値が検出される。尚、ＰＴＣ素子１１に電源部１２からの電力が停止されている場合、補助電源部１２ａからＰＴＣ素子１１には電力が供給されている。従って、電源部１２からの電力供給が停止されている場合でも、電流計１３はＰＴＣ素子１１に流れる電流値を計測している。
【００２８】
１５は制御部である。この制御部１５は、電流計１３で検出された電流値が電流値Ａ（例えば、０．０２５Ａ）になった場合、電源部１２からＰＴＣ素子１１への給電を停止（電源オフ）させる。しかしながら、電源部１２のオフ状態でも、上述した通り、第２電源部１２ａからの電力がＰＴＣ素子１１には供給される。従って、依然として、電流計１３は電流を計測している。この計測電流が、例えば０．０２６Ａになった場合、制御部１５は、電源部１２からの電力供給を再開、即ち、電源オンとする。そして、制御部１５を斯くの如く構成させておけば、第１実施形態の場合の如きのタイマを用いなくても済む。
【００２９】
図３は、本発明になる第３実施形態の加熱蒸散装置のブロック図である。
【００３０】
図３中、２１はＰＴＣ素子である。２２は電源部である。そして、電源部２２からＰＴＣ素子２１への給電によってＰＴＣ素子２１が発熱し、この発熱により薬液が加熱蒸散するように構成されている。２２ａは、ＰＴＣ素子２１にパルス電圧を印加する為の補助電源部である。
【００３１】
２３は電流計（電流検出部）である。そして、この電流計２３により、ＰＴＣ素子２１に流れる電流値が検出される。尚、ＰＴＣ素子２１に電源部２２からの電力が停止されている場合、補助電源部２２ａからＰＴＣ素子１１にはパルス電流が供給されている。従って、電源部２２からの電力供給が停止されている場合でも、電流計２３はＰＴＣ素子２１に流れる電流値を計測している。
【００３２】
２５は制御部である。この制御部２５は、電流計２３で検出された電流値が電流値Ａ（例えば、０．０２５Ａ）になった場合、電源部２２からＰＴＣ素子２１への給電を停止（電源オフ）させる。しかしながら、電源部２２のオフ状態でも、上述した通り、補助電源部２２ａからのパルス電流がＰＴＣ素子２１には流れている。従って、依然として、電流計２３は電流を計測している。この計測電流が、例えば０．０２６Ａになった場合、制御部１５は、電源部１２からの電力供給を再開、即ち、電源オンとする。そして、制御部２５を斯くの如く構成させておけば、第１実施形態の場合の如きのタイマを用いなくても済む。
【符号の説明】
【００３３】
１，１１，２１      ＰＴＣ素子（サーミスタ）
２，１２，２２      電源部
１２ａ，２２ａ      補助電源部
３，１３，２３      電流計（電流検出部）
４                  タイマ
５，１５，２５      制御部
【図１】
2011036166.tif 000003
【図２】
2011036166.tif 000004
【図３】
2011036166.tif 000005
【手続補正書】
【提出日】平成21年8月25日(2009.8.25)
【手続補正１】
【補正対象書類名】明細書
【補正対象項目名】００３２
【補正方法】変更
【補正の内容】
【００３２】
２５は制御部である。この制御部２５は、電流計２３で検出された電流値が電流値Ａ（例えば、０．０２５Ａ）になった場合、電源部２２からＰＴＣ素子２１への給電を停止（電源オフ）させる。しかしながら、電源部２２のオフ状態でも、上述した通り、補助電源部２２ａからのパルス電流がＰＴＣ素子２１には流れている。従って、依然として、電流計２３は電流を計測している。この計測電流が、例えば０．０２６Ａになった場合、制御部２５は、電源部２２からの電力供給を再開、即ち、電源オンとする。そして、制御部２５を斯くの如く構成させておけば、第１実施形態の場合の如きのタイマを用いなくても済む。